(57)【特許請求の範囲】
【請求項１】
バルコニーの床面に、ドレン部に向かう排水勾配を形成するためのバルコニーの排水構造であって、
下部構造材に支持されて水平に設置される床下地用面材と、該床下地用面材の上面に設置される、バルコニーの外周立上り部に沿ってこれの内側に取り付けられる水下用勾配根太、及び該水下用勾配根太と垂直又は略垂直な方向に延設して所定の間隔をおいて複数本取り付けられる勾配根太と、これらの水下用勾配根太及び勾配根太によって支持されて排水勾配を備えるように前記床下地用面材を覆って敷設される勾配形成用面材とを含み、
前記水下用勾配根太は、その上面が前記ドレン部に向って下り勾配となるように取り付けられており、前記勾配根太は、その上面が前記水下用勾配根太に向かって下り勾配となるように取り付けられており、且つ前記勾配根太の下り側端部と前記水下用勾配根太との間には、前記勾配形成用面材のひずみ吸収用間隔部が保持されているバルコニーの排水構造。
【請求項２】
前記水下用勾配根太は、バルコニーの前記外周立上り部の内側に沿って、通気用間隔部を保持した状態で複数本取り付けられている請求項１記載のバルコニーの排水構造。
【請求項３】
前記床下地用面材と前記勾配形成用面材との間の中空部は、前記水下用勾配根太の間の通気用間隔部を介して前記外周立上り部に設けられた通気層と連通している請求項２記載のバルコニーの排水構造。
【請求項４】
前記勾配根太の上り側端部は、バルコニーの居室側立上り部との間に通気用間隔部を保持した状態で取り付けられている請求項１〜３のいずれかに記載のバルコニーの排水構造。
【発明の詳細な説明】
【技術分野】
【０００１】
本発明は、バルコニーの排水構造に関し、特に、バルコニーの床面に、ドレン部に向かう排水勾配を形成するためのバルコニーの排水構造に関する。
【背景技術】
【０００２】
例えば住宅建築物等の建物に設けられたバルコニ−は、例えば居室部の延長として屋根のない手摺で囲まれた突出部分として設けられて、風雨に曝される領域となっていることから、これらの床面に排水勾配を設けて、雨水等による表面水をスムーズに排出できるようにすることが望ましい。例えば、手摺を構成する袖壁等によるバルコニ−の外周立上り部に沿った縁部分に側溝を設けると共に、例えば１〜２度程度の緩傾斜で側溝に向かう排水勾配を床面に形成することで表面水を側溝に流下させ、さらに、側溝の排水勾配を介して排水ドレンに向けて流下させることによって、バルコニ−の表面水を排水することが可能である。
【０００３】
また、例えば木造の住宅建築物等の建物の場合、バルコニーの床面にモルタル仕上げ等によって排水勾配を形成することが困難なことから、床梁等の下部構造材に支持させて水平に設置した床下地用面材の上面に、勾配を備えるように厚さを変化させて加工形成した断熱材等による中間敷設材を敷設すると共に、この中間敷設材を覆って防火遮音材や床仕上材を取り付けることによって、排水勾配を形成したバルコニーの床構造も開発されている（例えば、特許文献１参照）。
【先行技術文献】
【特許文献】
【０００４】
【特許文献１】特開２００４−９２１８８号公報
【発明の概要】
【発明が解決しようとする課題】
【０００５】
一方、バルコニーの外周立上り部の内側に沿って側溝を設けた場合、側溝は相当の幅を有しているため、バルコニーの床面よりも一段低くなった当該側溝によって美観が損われると共に、側溝を設けた分だけバルコニ−の床面の面積が狭くなって、床面全体を有効に活用し難くなる。このようなことから、近年、側溝を介することなく、床面の排水勾配のみによって、例えばバルコニ−の角部分に設けられたドレン部に向けて表面水を直接流下させるようにする技術の開発が望まれている。
【０００６】
床面の排水勾配のみによって、例えばバルコニ−の角部分に設けられたドレン部に向けて表面水を流下させる場合、バルコニーの外周立上り部の内側に向う排水勾配の他に、これと直交する方向の、ドレン部に向う排水勾配も必要になることから、特許文献１の技術では、このような３次元的な排水勾配を備えるように厚さを変化させて中間敷設材を加工形成することが困難である。
【０００７】
本発明は、側溝を介することなく、排水勾配のみによってドレン部に向けて表面水を流下させることが可能な床面を、バルコニ−に容易に設けることのできるバルコニーの排水構造を提供することを目的とする。
【課題を解決するための手段】
【０００８】
本発明は、バルコニーの床面に、ドレン部に向かう排水勾配を形成するためのバルコニーの排水構造であって、下部構造材に支持されて水平に設置される床下地用面材と、該床下地用面材の上面に設置される、バルコニーの外周立上り部に沿ってこれの内側に取り付けられる水下用勾配根太、及び該水下用勾配根太と垂直又は略垂直な方向に延設して所定の間隔をおいて複数本取り付けられる勾配根太と、これらの水下用勾配根太及び勾配根太によって支持されて排水勾配を備えるように前記床下地用面材を覆って敷設される勾配形成用面材とを含み、前記水下用勾配根太は、その上面が前記ドレン部に向って下り勾配となるように取り付けられており、前記勾配根太は、その上面が前記水下用勾配根太に向かって下り勾配となるように取り付けられており、且つ前記勾配根太の下り側端部と前記水下用勾配根太との間には、前記勾配形成用面材のひずみ吸収用間隔部が保持されているバルコニーの排水構造を提供することにより、上記目的を達成したものである。
【０００９】
そして、本発明のバルコニーの排水構造は、前記水下用勾配根太が、バルコニーの前記外周立上り部の内側に沿って、通気用間隔部を保持した状態で複数本取り付けられていることが好ましい。
【００１０】
また、本発明のバルコニーの排水構造は、前記床下地用面材と前記勾配形成用面材との間の中空部が、前記水下用勾配根太の間の通気用間隔部を介して前記外周立上り部に設けられた通気層と連通していることが好ましい。
【００１１】
さらに、本発明のバルコニーの排水構造は、前記勾配根太の上り側端部は、バルコニーの居室側立上り部との間に通気用間隔部を保持した状態で取り付けられていることが好ましい。
【発明の効果】
【００１２】
本発明のバルコニーの排水構造によれば、側溝を介することなく、排水勾配のみによってドレン部に向けて表面水を流下させることが可能な床面を、バルコニ−に容易に設けることができる。
【図面の簡単な説明】
【００１３】
【図１】本発明の好ましい一実施形態に係る排水構造を備えるバルコニーが設けられた住宅建築物の部分断面図である。
【図２】本発明の好ましい一実施形態に係るバルコニーの排水構造の構成を説明する要部断面図である。
【図３】本発明の好ましい一実施形態に係るバルコニーの排水構造の構成を説明する、勾配形成用面材を設置する前の状態の略示平面図である。
【図４】図３のＡ−Ａに沿った、勾配形成用面材を設置する前の状態の要部略示断面図である。
【図５】水下用勾配根太の斜視図である。
【図６】勾配根太の斜視図である。
【図７】（ａ）〜（ｃ）は、本発明の排水構造が設けられるバルコニーの他の形態を例示する、勾配形成用面材を設置する前の状態の略示平面図である。
【図８】（ａ）〜（ｆ）は、勾配根太の他の形態を例示する斜視図である。
【発明を実施するための形態】
【００１４】
本発明の好ましい一実施形態に係るバルコニーの排水構造１０は、図１に示すように、建物として例えば木造の２階建ての住宅建築物１１において、２階の居室部１２の延長部分として屋外側に突出させて、１階の居室部１３の上方にバルコニー１４を形成する際に、バルコニー１４の床面１５上に存在する表面水を、側溝を介することなく、床面１５の排水勾配のみによってドレン部１６（図３参照）に向けて流下させて排水できるようにするために設けられたものである。本実施形態では、バルコニー１４は、その上方の一部のみが屋根１７によって覆われて、雨水が浸入しやすくなっており、また清掃用の水等を排水する必要もあることから、こられの表面水をドレン部１６に向けて直接流下させて排除できるようにするための構造として、本実施形態のバルコニーの排水構造１０が採用されたものである。
【００１５】
そして、本実施形態のバルコニーの排水構造１０は、バルコニー１４の床面１５に、ドレン部１６に向かう排水勾配を形成するための排水構造であって、図２〜図４にも示すように、下部構造材１８として、例えば床梁や床根太等によって支持されて水平に設置される床下地用面材１９と、この床下地用面材１９の上面に設置される、バルコニー１４の外周立上り部２０である手摺用の袖壁２０に沿ってこれの内側に取り付けられる水下用勾配根太２１、及びこの水下用勾配根太２１と垂直又は略垂直な方向に延設して所定の間隔をおいて複数本取り付けられる勾配根太２２と、これらの水下用勾配根太２１及び勾配根太２２によって支持されて排水勾配を備えるように床下地用面材１９を覆って敷設される勾配形成用面材２３とを含んで構成される。また、水下用勾配根太２１は、その上面がバルコニー１４の角部分に設けられたドレン部１６に向って下り勾配となるように取り付けられており、勾配根太２２は、その上面が水下用勾配根太２１に向かって下り勾配となるように取り付けられており、且つ勾配根太２２の下り側端部２２ａと水下用勾配根太２１との間には、勾配形成用面材２３のひずみ吸収用間隔部２４が保持されている。
【００１６】
本実施形態では、バルコニー１４は、例えば住宅建築物１１の２階部分において、居室部１２の外壁１２ａとコの字平面形状を有する袖壁２０とによって周囲を区画されることにより、例えば突出幅Ｂ（出幅）が９００〜１８００ｍｍ程度、長さＬが１８００〜３６００ｍｍ程度の大きさの（図３参照）、横長矩形の平面形状を備えるように設けられている。
【００１７】
また、本実施形態では、排水構造１０を構成する床下地用面材１９は、例えば厚さが２４ｍｍ程度の構造用合板からなり、床梁や床根太等の下部構造材１８に支持されてこれの上面に敷設されることにより、２階の居室部１２の床部分から、バルコニー１４の外周部分の袖壁２０の下方に至る領域まで、水平に連続して設置される。この床下地用面材１９のバルコニー１４に配設される部分の上面には、水下用勾配根太２１及び勾配根太２２が、勾配形成用面材２３を敷設するための基台として設置される。
【００１８】
水下用勾配根太２１は、図５にも示すように、好ましくはＬＶＬ（単板積層材）からなる矩形断面形状を備える木製の棒状部材であって、例えば１８２０〜２７３０ｍｍ程度の長さを有している。水下用勾配根太２１の矩形断面形状は、例えば３０〜５０ｍｍ程度の幅ｂを有すると共に、その高さｈが下り勾配の下り側端部２１ａで例えば２０〜３０ｍｍ程度、下り勾配の上り側端部２１ｂで例えば４０〜５０ｍｍ程度となっていて、これらの間の高低差が例えば１０〜２０ｍｍ程度となっている。これによって、水下用勾配根太２１は、床下地用面材１９の上面に接着剤、固定ビス、固定釘等を介して取り付けられた際に、その上面による勾配形成用面材２３の取り付け面が、上り側端部２１ｂから下り側端部２１ａに向って緩い角度で傾斜する下り勾配となる。
【００１９】
また、本実施形態では、水下用勾配根太２１は、図３に示すように、バルコニー１４の長辺部分の袖壁２０の立上り基端部の内側に沿って、通気用間隔部２５を保持した状態で複数本（２本）取り付けられる。これらの２本の水下用勾配根太２１は、バルコニー１４の長辺方向中央部分に例えば１００ｍｍ程度の幅の通気用間隔部２５を保持した状態で、上り側端部２１ｂを当該長辺方向中央部分に配置すると共に、バルコニー１４の袖壁２０の両端角部内側に設けられたドレン部１６に向けて、その上面が下り勾配となるように各々設置される。また、２本の水下用勾配根太２１は、その下り側端部２１ａと、ドレン部１６の外側にＬ字状に設置されたドレン部根太２６との間にも、通気用間隔部２７を保持した状態で、バルコニー１４の袖壁２０の内側に沿って各々設置される。
【００２０】
勾配根太２２は、図２、図３、図４、図６に示すように、好ましくはＬＶＬ（単板積層材）からなる矩形断面形状を備える木製の棒状部材であって、例えば出幅が９１０ｍｍのバルコニー１４の床面１５の、短辺の長さの６５％程度の長さとして、例えば４５０ｍｍ程度の長さを有している。勾配根太２２の矩形断面形状は、例えば３０〜５０ｍｍ程度の幅ｂを有すると共に、その高さｈが下り勾配の下り側端部２２ａで例えば４３ｍｍ程度、下り勾配の上り側端部２２ｂで例えば４７．５ｍｍ程度となっていて、これらの間の高低差が例えば４．５ｍｍ程度となっている。これによって、勾配根太２２は、床下地用面材１９の上面に接着剤、固定ビス、固定釘等を介して取り付けられた際に、その上面による勾配形成用面材２３の取り付け面が、上り側端部２２ｂから下り側端部２２ａに向って緩い角度で傾斜する下り勾配となる。なお、勾配根太２２の長さや上面の勾配は、勾配形成用面材２３のひずみを効果的に吸収できる範囲で、バルコニー１４の出幅等に応じて適宜設計することができる。
【００２１】
また、本実施形態では、勾配根太２２は、例えばバルコニー１４の床面１５の短辺と平行又は略平行に配置されると共に、バルコニー１４の長辺部分の袖壁２０に沿って配設された水下用勾配根太２１に対して垂直又は略垂直な方向に延設して、バルコニー１４の長辺方向に例えば２２７〜４５５ｍｍ程度の所定の間隔をおいて複数本設置される（図３参照）。各勾配根太２２は、上り側端部２２ｂを２階の居室部１２の外壁１２ｂに近接配置して取り付けられることで、これらの上面が、水下用勾配根太２１に向かって下り勾配となるように設置される。設置された各勾配根太２２の下り側端部２２ａと水下用勾配根太２１との間には、例えば２２０〜２５０ｍｍ程度の間隔の勾配形成用面材２３のひずみ吸収用間隔部２４が保持されることになる。なお、これらの勾配根太２２の設置間隔やひずみ吸収用間隔部２４の間隔もまた、勾配形成用面材２３のひずみを効果的に吸収できる範囲で、バルコニー１４の出幅等に応じて適宜設計することができる。
【００２２】
さらに、本実施形態では、各勾配根太２２は、これらの上り側端部２２ｂと、居室部１２の外壁１２ａの立上り基端部との間に、例えば１２〜３０ｍｍ程度の幅の通気用間隔部２８を保持した状態で、床下地用面材１９の上面に取り付けられる。
【００２３】
さらにまた、本実施形態では、ドレン部１６を囲うドレン部根太２６は、好ましくはＬＶＬ（単板積層材）からなる矩形断面形状の木製の棒状部材を用いて、勾配根太２２の下り側端部２２ａの高さよりも低い、水下用勾配根太２１の下り側端部２１ａの高さと同様の、例えば２０〜３０ｍｍ程度の高さで設置されている。
【００２４】
水下用勾配根太２１及び勾配根太２２によって支持されて床下地用面材１９の上方に敷設される勾配形成用面材２３は、本実施形態では、図２に示すように、例えば厚さが９〜１２ｍｍ程度の構造用合板からなる。勾配形成用面材２３は、所定の形状に加工形成した複数の構造用合板を連設配置して、全体として、袖壁２０の立上り基端部及び外壁１２ａの立上り基端部によって周囲を囲まれるバルコニー１４の床面１５の形状と略同様の、ドレン部１６と対応する部分が切欠れた略横長矩形の平面形状を備えるように設置される。勾配形成用面材２３は、床下地用面材１９の上面に取り付けられた勾配根太２２や水下用勾配根太２１の上面に、構造用合板を好ましくは密着させた状態で、接着剤、固定ビス、固定釘等を介してこれらの根太２２，２３に固定することにより、上面にドレン部１６に向う所望の排水勾配を備えた状態で、バルコニー１４の床面１５の構成部材として容易に設置されることになる。
【００２５】
ここで、勾配形成用面材２３を構成する構造用合板は、その平板形状を強固に保持する一方で、反ったり撓んだりすることで、ある程度のひずみ変形が可能な物性を備えている。したがって、ドレン部１６に向けて下り勾配を有する水下用勾配根太２１の上面と、これと垂直又は略垂直な方向に下り勾配を有する勾配根太２２の上面とが、同一の面上に配置されていなくても、このような同一の面上に配置されていないことによる誤差を、水下用勾配根太２１と勾配根太２２との間のひずみ吸収用間隔部２４において勾配形成用面材２３を変形させることで、吸収することが可能になる。したがって、勾配形成用面材２３は、勾配根太２２や水下用勾配根太２１の上面に密着させるようにしながら構造用合板をこれらの上面に沿わせて固定することにより、勾配根太２２や水下用勾配根太２１の上面をガイドとして、これらの勾配に倣った状態で取り付けられることになる。これによって、設置された勾配形成用面材２３の上面は、ドレン部１６に向かう水下用勾配根太２１の上面の下り勾配と、これと垂直又は略垂直な方向の水下用勾配根太２１に向う勾配根太２２の上面の下り勾配とが複合した、ドレン部１６に向かう３次元的な排水勾配を備えることになる。
【００２６】
そして、本実施形態では、図３に示すように、敷設された勾配形成用面材２３の上面を覆って、さらにスラグ石膏板等の床仕上材２９や床面保護材３０が取り付けられて、バルコニー１４の床面１５が形成されることになる。
【００２７】
また、本実施形態では、袖壁（外周立上り部）２０の内壁面に沿った内部には、通気可能な通気パネルによる通気層３１が設けられている。また床下地用面材１９と勾配形成用面材２３との間の中空部は、２本の水下用勾配根太２１の間の通気用間隔部２５や水下用勾配根太２１とドレン部根太２６との間の通気用間隔部２７と、袖壁２０の内壁面の下端部に設けられた通気用切欠き３２とを介して、通気層３１と連通するようになっている。
【００２８】
なお、通気層３１を形成する通気パネルとしては、例えば特開２０００−１６０７３２号公報に記載の、間隔をおいて平行に配置された複数の表側帯状小幅板と、間隔をおいて平行に配置された複数の裏側帯状小幅板とを、互いに交差させた状態で接合一体化してなる壁下地パネルを好ましく用いることができる。また、例えば袖壁２０の内壁面に防水シート等を取り付ける必要がない場合には、通気用切欠き３２を袖壁２０の中空内部まで貫通させて、当該袖壁２０の中空内部を通気層３１として、床下地用面材１９と勾配形成用面材２３との間の中空部と連通させることもできる。
【００２９】
そして、上述の構成を備える本実施形態のバルコニーの排水構造１０によれば、側溝を介することなく、排水勾配のみによってドレン部１６に向けて表面水を流下させることが可能な床面１５を、バルコニ−１４に容易に設けることができる。
【００３０】
すなわち、本実施形態によれば、排水構造１０は、水平に設置される床下地用面材１９と、これの上面に設置される水下用勾配根太２１及び勾配根太２２と、水下用勾配根太２１及び勾配根太２２によって支持されて床下地用面材１９を覆って敷設される勾配形成用面材２３とからなり、且つ勾配根太２２の下り側端部２２ａと水下用勾配根太２１との間には、勾配形成用面材２３のひずみ吸収用間隔部２４が保持されているので、ひずみ吸収用間隔部２４でひずみ変形させつつ勾配形成用面材２３を水下用勾配根太２１及び勾配根太２２の上面に沿って取り付けることで、ドレン部１６に向かう水下用勾配根太２１の上面の下り勾配と、これと垂直又は略垂直な方向の勾配根太２２の上面の下り勾配とが複合した、側溝を介することなくドレン部１６に直接向かう３次元的な排水勾配を、多くの手間を要することなくバルコニー１４の床面１５に容易に形成することが可能になる。
【００３１】
また、本実施形態によれば、床下地用面材１９と勾配形成用面材２３との間の中空部は、通気用間隔部２５，２７を介して外周立上り部２０に設けられた通気層３１と連通しているので、床下地用面材１９と勾配形成用面材２３との間の中空部を効率良く換気して、結露の発生等によって排水構造１０の構成部材が劣化しやすくなるの効果的に回避することが可能になる。さらに、勾配根太２２の上り側端部２２ｂは、バルコニー１４の居室側立上り部である外壁１２ａの立上り基端部との間に通気用間隔部２８を保持しているので、床下地用面材１９と勾配形成用面材２３との間の中空部の換気をさらに効率良く図ることが可能になる。
【００３２】
なお、本発明は上記実施形態に限定されることなく種々の変更が可能である。例えば、本発明の排水構造は、横長矩形の平面形状のバルコニーに限定されることなく、例えば図７（ａ）〜（ｃ）に示すように、奥行きが途中で変化する平面形状のバルコニー（図７（ａ））や、Ｌ字形の平面形状のバルコニー（図７（ｂ））や、奥行きが異なるＬ字形の平面形状のバルコニー（図７（ｃ））等の、その他の種々の形状のバルコニーにも採用することができる。また、例えば図８（ａ）〜（ｅ）に示すように、高さや長さの異なる複数種類のものから適宜選択して勾配根太や水下用勾配根太を用いたり、これらを適宜組み合わせて、勾配根太や水下用勾配根太をバルコニーの床下地用面材の上面に設置すこともできる。図８（ｆ）に示すようなパッキン用の根太を用いて、勾配根太や水下用勾配根太の高さを調整するようにしても良い。さらに、床下地用面材と勾配形成用面材との間の中空部は、居室側立上り部に設けた通気層と連通させて換気を行うようにすることもできる。
【符号の説明】
【００３３】
１０  バルコニーの排水構造
１２  ２階の居室部
１２ａ  ２階の居室部の外壁
１４  バルコニー
１５  バルコニーの床面
１６  ドレン部
１８  下部構造材
１９  床下地用面材
２０  外周立上り部（袖壁）
２１  水下用勾配根太
２１ａ  水下用勾配根太の下り側端部
２１ｂ  水下用勾配根太の上り側端部
２２  勾配根太
２２ａ  勾配根太の下り側端部
２２ｂ  勾配根太の上り側端部
２３  勾配形成用面材
２４  ひずみ吸収用間隔部
２５，２７，２８  通気用間隔部
２６  ドレン部根太
３１  通気層
３２  通気用切欠き
【図１】
0005427108.tif 000002
【図２】
0005427108.tif 000003
【図３】
0005427108.tif 000004
【図４】
0005427108.tif 000005
【図５】
0005427108.tif 000006
【図６】
0005427108.tif 000007
【図７】
0005427108.tif 000008
【図８】
0005427108.tif 000009